(57)【特許請求の範囲】
【請求項１】
容器体Ａの口頚部３外周に周壁９を螺着することによりノズル付きキャップＢを嵌合させてなる液体注出容器に於いて、環状基部27の内周より内方斜め上方へ延びる係止片28及び外周より外方斜め上方へ延びる再嵌合防止用突片29をそれぞれ周方向複数突設した封緘リングＸを、周壁９下端部にフランジを介して形成した拡径部9a内面に環状基部27を嵌合するとともに、前記フランジ下面に凹設した凹部15内に各再嵌合防止用突片29を収納し、且つ、各係止片28を口頚部３外周の螺条４下方に突設した係止突条５下面に乗り越え係合させて装着し、周壁９の螺脱により封緘リングＸが周壁９より離脱する如く構成したことを特徴とする液体注出容器。
【請求項２】
上記ノズル付きキャップＢが、容器体口頚部３外周に螺着させた周壁９上端縁より頂壁10を延設するとともに、頂壁中央部より注出筒11を立設したキャップ本体６と、注出筒外周に上下動可能に嵌合させた周壁20上端縁より頂壁21を延設するとともに、頂壁21中央に穿設した注出孔22の内周下端縁を、注出筒11内中央より立設した棒栓12の上面周縁に液密に当接させてたノズル７と、ノズルを被覆してキャップ本体頂壁10上に載置した上端面閉塞の筒状をなすとともに、周壁24下端縁より外方へフランジ26を延設し、且つ、キャップ本体頂壁10上面周縁部に突設した小筒19の内方へ加熱変形させた上部19a によりフランジ26上面を圧接係止してなる蓋体８とを備えたノズル付きキャップＢである請求項１記載の液体注出容器。
【請求項３】
上記蓋体８に代えて、上記棒栓12上面に凹設した嵌合凹部32内に強制嵌合させた嵌合筒33を頂壁25裏面より垂設するとともに、頂壁周縁部より垂設した周壁24外周下端部より突設した連結片34を介して周壁24下端部周囲に取り外し用リング35を延設し、且つ、該リングと周壁外面下端縁部との間を薄肉破断部36で連結した蓋体８を設けてなる請求項２記載の液体注出容器。
【発明の詳細な説明】
【０００１】
【発明の属する技術分野】
本発明は液体注出容器に関する。
【０００２】
【従来の技術】
液体注出容器として、例えば、容器体口頚部外周に螺着させた周壁上端縁より頂壁を延設するとともに、頂壁中央に下端を開口した上端閉塞のノズルを一体に立設してなるノズル付きキャップを装着したものが知られている。これらは使用時にノズル先端部を切断除去して使用する。
また、容器体口頚部外周に螺着させた周壁上端縁より頂壁を延設するとともに、頂壁中央部より注出筒を立設し、注出筒内中央に棒栓を支持させたキャップ本体と、注出筒外周に上下動可能に周壁を嵌合させて設けるとともに、頂壁中央に穿設した注出孔の内周下端縁を棒栓の上面周縁に液密に当接させたノズルとを備えたものが知られている。これらは、ノズルを引き上げるだけで液の注出が可能となり、また、再びノズルを押し下げておけば注出孔の閉塞状態に戻るため、特に飲料水を収納する容器として使用した場合に携帯用として便利である。
【０００３】
【発明が解決しようとする課題】
これらの容器は販売時等に未開封であることを明瞭に示すことが要望され、収納液が飲料水である飲料用容器の場合には特に要望される。また、これらノズル付きキャップを螺着した容器の場合、特に、キャップ周壁を一旦螺脱後再び螺着した状態と、全く螺脱のない状態とを明瞭に区分けすることが難しかった。そのため従来は、例えばキャップ部分に容易に破断可能なシュリンク包装を行っている。しかしながら、シュリンク包装にはその為の大がかりな設備を必要とするという問題がある。
本発明では上記した点に鑑み、キャップ周壁を一旦螺脱後再び螺着した場合の状態を明瞭に把握でき、しかも、シュリンク包装のような特別大がかりな設備を必要とせずに製造でき、携帯に便利で、使い勝手も良い優れた容器を提案するものである。
【０００４】
【課題を解決するための手段】
第１の手段として、以下の通り構成した。即ち、容器体Ａの口頚部３外周に周壁９を螺着することによりノズル付きキャップＢを嵌合させてなる液体注出容器に於いて、環状基部27の内周より内方斜め上方へ延びる係止片28及び外周より外方斜め上方へ延びる再嵌合防止用突片29をそれぞれ周方向複数突設した封緘リングＸを、周壁９下端部にフランジを介して形成した拡径部9a内面に環状基部27を嵌合するとともに、前記フランジ下面に凹設した凹部15内に各再嵌合防止用突片29を収納し、且つ、各係止片28を口頚部３外周の螺条４下方に突設した係止突条５下面に乗り越え係合させて装着し、周壁９の螺脱により封緘リングＸが周壁９より離脱する如く構成した。
【０００５】
第２の手段として、以下の通り構成した。即ち、前記第１の手段に於いて、上記ノズル付きキャップＢが、容器体口頚部３外周に螺着させた周壁９上端縁より頂壁10を延設するとともに、頂壁中央部より注出筒11を立設したキャップ本体６と、注出筒外周に上下動可能に嵌合させた周壁20上端縁より頂壁21を延設するとともに、頂壁21中央に穿設した注出孔22の内周下端縁を、注出筒11内中央より立設した棒栓12の上面周縁に液密に当接させてたノズル７と、ノズルを被覆してキャップ本体頂壁10上に載置した上端面閉塞の筒状をなすとともに、周壁24下端縁より外方へフランジ26を延設し、且つ、キャップ本体頂壁10上面周縁部に突設した小筒19の内方へ加熱変形させた上部19a によりフランジ26上面を圧接係止してなる蓋体８とを備えたノズル付きキャップＢである。
【０００６】
第３の手段として、以下の通り構成した。即ち、前記第２の手段に於いて、上記蓋体８に代えて、上記棒栓12上面に凹設した嵌合凹部32内に強制嵌合させた嵌合筒33を頂壁25裏面より垂設するとともに、頂壁周縁部より垂設した周壁24外周下端部より突設した連結片34を介して周壁24下端部周囲に取り外し用リング35を延設し、且つ、該リングと周壁外面下端縁部との間を薄肉破断部36で連結した蓋体８を設けた。
【０００７】
【発明の実施の形態】
以下、本発明の実施例の形態を図面を参照して説明する。
本発明の液体注出容器１は、容器体Ａと、ノズル付きキャップＢとを備えている。
容器体Ａは、合成樹脂等により形成されたもので、筒状の胴部２上端より口頚部３を起立して構成している。口頚部３外周上部にはキャップＢを螺着させるための螺条４を周設し、また、その下方には後述する封緘リングを係止するための係止突条５を周設している。
【０００８】
ノズル付きキャップＢは、容器体口頚部３外周に周壁を螺着することにより着脱可能に嵌合させたもので、図示例では、キャップ本体６と、ノズル７と、蓋体８とからノズル付きキャップＢを構成している。
キャップ本体６は、口頚部外周に螺着させた周壁９上端縁より頂壁10を延設するとともに、頂壁中央部より注出筒11を立設している。また、注出筒内中央より棒栓12を立設している。周壁９内周上部には上記螺条４と螺合する螺条13を周設し、周壁９下端部はフランジを介して外方へ拡径し、この拡径部9a部分に後述封緘リングを嵌合させる如く構成している。この拡径部9a内周下端部には係合突条14を周設するとともに、その上端部はテーパ部を介してやや大径に形成し、後述再嵌合防止用突片を収納する凹部15を構成している。
【０００９】
また、頂壁10裏面より口頚部３内周に密嵌するシール筒16を垂設し、この部分からの液の漏出防止を図っている。また、棒栓12は、頂壁10の中央部に下端を開口した上端閉塞の円筒状をなしており、その周囲に棒栓12よりやや背の低い注出筒11を立設し、更に、注出筒11内の棒栓12外方位置に注出用の窓孔17を穿設している。また、頂壁10上面の注出筒11外方には、後述蓋体を嵌合させるための小突出幅の嵌合筒18を、更に、その外方には蓋体を固定するための小筒19を各々立設している。
【００１０】
ノズル７は、注出筒外周に上下動可能に嵌合させた周壁20上端縁より頂壁21を延設するとともに、頂壁中央に穿設した注出孔22の内周下端縁を、棒栓12の上面周縁に液密に当接させている。また、周壁20内周下端部と、上記注出筒11外周上端部に、それぞれ突条を突設して上方への抜け出しを防止しており、また、頂壁21裏面の内方より垂設した摺動筒23を注出筒11内周に摺動可能に嵌合させて、この部分からの液の漏出を防止するとともに、ノズル７を任意位置に係止出来る如く構成している。更に、ノズル７の注出孔22内周下端縁部を下方へ広がるテーパ状に形成し、棒栓12上面周縁部に形成してテーパ部と液密に当接して注出筒と外部とを遮断する如く構成している。
【００１１】
蓋体８は、未使用時のノズル部分への埃等の付着を防止するとともに、未開封を示す手段として設けており、周壁24上端縁より頂壁25を延設するとともに、周壁24下端縁より外方へフランジ26を突設して構成しており、ノズル７を被覆してキャップ本体頂壁10上に載置した上端面閉塞の筒状をなすとともに、周壁下端縁より外方へ延設したフランジ26上面を、キャップ本体頂壁10上面周縁部に突設した上記小筒19の内方へ加熱変形させた上部19a により圧接係止している。
【００１２】
本発明では、上記したこの種容器に於いて、封緘リングＸを設けている。
封緘リングＸは、合成樹脂により形成したもので、キャップ本体周壁９内周下端部に嵌合係止した環状基部27の内周より内方斜め上方へ延びる係止片28及び外周より外方斜め上方へ延びる再嵌合防止用突片29を、それぞれ周方向複数突設するとともに、各係止片を上記係止突条５下面に乗り越え係合させ、且つ、各再嵌合防止用突片29を上記凹部15に収納している。
【００１３】
環状基部27は、封緘リングＸの基本構造をなすもので、縦幅の比較的小さい円筒状をなし、キャップ本体周壁９の内周下端部に各係止片28の係止突条５に対する係合力より小さな嵌合強度で離脱可能に嵌合させている。図示例では、外周下端縁部を下向き段部30を介して小径化し、この下向き段部30をキャップ本体周壁９の係合突条14上面に係合させて下方へ不用意に抜け出すことを防止している。
【００１４】
係止片28は、口頚部３外周の係止突条５下面にその先端部を当接係止させて、キャップ本体６を螺脱した際に封緘リングＸをキャップ本体から外すために設けたものであり、装着する際には内方へ弾性変形して係止突条５を乗り越えてその下面に係合し、キャップ本体を螺脱すると係止突条５下面に係止されて封緘リングがキャップ本体より外れ、口頚部外周に残る如く構成している。図示例では、環状基部27の内周面に沿った傾斜円弧板状をなし、内方斜め上方にそれぞれ立設した８枚の係止片28を突設している。
【００１５】
また、再嵌合防止用突片29は、一旦キャップ本体から外れた封緘リングＸを再びキャップ本体に嵌合させることを防止するために設けたもので、図示例では、環状基部27の外周面に沿った傾斜円弧板状をなし、外方斜め上方にそれぞれ立設した８枚の突片29を突設している。各突片29は、キャップ本体周壁９内面に形成した上記凹部15内に収納させている。
この封緘リングＸをキャップ本体６に装着する場合には、例えば、図４に示す如きセット治具31を用いて嵌合させる。従って、この様な治具が無い場合には一旦外れた封緘リングＸを再び嵌合させるのが不可能な如く構成している。
【００１６】
上記の如く構成した容器を使用する場合には、蓋体８を強引に引き剥がしてフランジ26上面の小筒上部19a の係合を外し、ノズル７を上方へ引き上げて使用する。一旦蓋体８を取り外すと、小筒上部19a が弾性復元力で元の内向き状態となるため、再びフランジを嵌め込むことは極めて困難となり、開封済であることが容易に判る。
【００１７】
図５に示す実施例は、キャップ本体の一部と蓋体８の構造が相違する以外は上記実施例と同様であり、同様部分には同符号を付して説明を省く。
本実施例に於けるキャップ本体６の棒栓12は、上面中央部に蓋体８の後述する嵌合筒を強制嵌合させる嵌合凹部32を形成し、全体として、キャップ本体頂壁10中央に下端を開口し、上下方向中央部を閉塞した円筒状をなしている。また、嵌合凹部32は、上下方向中央を膨出した円柱状をなしている。
【００１８】
また、本実施例に於ける蓋体８は、上記嵌合凹部32内に強制嵌合させた嵌合筒33を頂壁25裏面より垂設するとともに、頂壁周縁部より垂設した周壁24外周下端部より突設した連結片34を介して周壁24下端部周囲に取り外し用リング35を延設し、該リング35と周壁24外面下端部との間を薄肉破断部36で連結している。そして、取り外し用リング35の先端部を掴んで持ち上げると、破断部36が切断されてリング35が起立し、次いで強制嵌合させた嵌合筒33が外れてノズル７が露出する。一旦蓋体８を取り外すと破断部36が切断されるため、再び蓋体を装着したとしても、開封済みであることが容易に判断できる。
尚、上記各部材は合成樹脂により形成することができる。
【００１９】
【発明の効果】
以上説明した如く、本発明容器は、既述構成としたことにより、キャップを一旦螺脱すると封緘リングがキャップ周壁より外れ、外れたリングは再び嵌合させることができないため、一旦キャップを螺脱させた開封状態であることが明白となる。
【００２０】
また、第２の手段の容器では、ノズルを上下動可能に設けて、押し下げ状態で注出孔が閉塞する如く構成しているので、飲料用容器として使用すれば携帯に便利であり、また、封緘リングの存在で上記したバージンシール性を付与できるとともに、蓋体を取り外せば、蓋体のフランジを圧接している小筒上部が元の状態に弾性変形して内方に向く状態となるため、蓋体を再び装着することがきわめて困難となり、この部分でも開封済みであることが明白となる。
【００２１】
更に、第３の手段の容器では、取り外し用リングを掴んで蓋体を外せば、薄肉破断部が切断するため、開封済みであることが明白となる。
【図面の簡単な説明】
【図１】本発明の一実施例を示す要部縦断面図である。
【図２】同実施例の封緘リングを示す半断面図である。
【図３】同実施例の封緘リングを示す平面図である。
【図４】同実施例の封緘リングの装着を説明する説明図である。
【図５】本発明の他の実施例を示す要部縦断面図である。
【図６】同実施例の蓋体を示す平面図である。
【符号の説明】
３…口頚部，４…螺条，５…係止突条，６…キャップ本体，７…ノズル，
８…蓋体，９…キャップ本体周壁，10…キャップ本体頂壁，11…注出筒，
12…棒栓，15…凹部，19…小筒，19a …小筒上部，20…ノズル周壁，
21…ノズル頂壁，22…注出孔，24…蓋体周壁，25…蓋体頂壁，26…フランジ，
27…環状基部，28…係止片，29…再嵌合防止用突片，32…嵌合凹部，
33…嵌合筒，34…連結片，35…取り出し用リング，36…薄肉破断部，
Ａ…容器体，Ｂ…ノズル付きキャップ，Ｘ…封緘リング
【図１】
0003853986.tif 000002
【図２】
0003853986.tif 000003
【図３】
0003853986.tif 000004
【図４】
0003853986.tif 000005
【図５】
0003853986.tif 000006
【図６】
0003853986.tif 000007